(57)【要約】      （修正有）【課題】その外装を生花で装飾する祭壇で自宅の居間や公営・私営住宅の居間などを小規模に斎場化して、お通夜から初七日法要まで祭祀し、お墓がない人は自宅で永代祭祀可能な祭壇を提供する。【解決手段】本祭壇は、遺骸・遺族が祭壇が設置された斎場に向かう葬儀から、祭壇が遺骸・遺族の方に向かう方式の構造で自宅の居間や、公営・私営住宅の居間などに木製で簡素な棺・法要壇・霊供膳壇・花圃壇を命の字体に形状した祭壇を故人が好きだった生花で装飾し、部屋の空間に合わせて縮小、拡大が自在な構造の祭壇で、小規模に斎場化した雰囲気で、お通夜から祭祀、後供養までグリーフに陥った遺族の方々が限られた火葬までの時間を故人と寄り添ってグリーフケアできる実用祭壇である。【選択図】図１
0003170496.tif 000002
【実用新案登録請求の範囲】
【請求項１】
本考案は、葬祭に不可欠な棺を中心に後方に花圃壇、左前方に法要壇、右前方に霊供膳壇を命の字体に形状した祭壇。
【請求項２】
棺・法要壇・霊供膳壇・花圃壇に、花器を併設して生花を装飾する祭壇でお通夜から永代祭祀まで可能な祭壇。
【考案の詳細な説明】
【技術分野】
【０００１】  本考案は葬儀に不可欠な棺・法要壇・霊供膳壇・花圃壇で構成され、その外装を生花で装飾する祭壇で自宅の居間や公営・私営住宅の居間などを小規模に斎場化して、お通夜から初七日法要まで祭祀し、お墓がない人は自宅で永代祭祀可能な祭壇の構造に関するものである。
【背景技術】
【０００２】  従来の祭壇は大広間の斎場に豪華に固定された構造で、葬式の際は遺骸を斎場に搬送して葬儀を行うのが通常で、自宅などで葬儀を行う場合の祭壇は余りにも貧弱で格差が大きい。
【先行技術文献】
【０００３】  当法人では、「命の花咲か葬」の商標登録を出願し執行するなか本考案の花祭壇は、次世代の葬儀啓発の新規性と時流に合った進歩性を有した祭壇です。
【考案の概要】
【考案が解決しようとする課題】
【０００４】  上記したような従来の祭壇は斎場に固定されている為、葬儀に際し、遺骸は最期の場所から斎場、火葬場、自宅を転々と移動する葬送は、遺族がゆっくり故人に寄り添う時間も少なく、さらにグリーフな精神状態での対応の為、遺族関係や葬儀料金などのトラブルが生じている。【０００５】  さらに、葬祭文化は多様化し、親子、親戚関係は希薄して身内だけの自宅葬及び、直葬（火葬だけで見送る葬儀）を希望する人が増加しているが、祭壇技術の啓発がみられない現状である。
【課題を解決するための手段】
【０００６】  上記した課題を解決する為の本考案の祭壇は、自宅葬のように少人数の場合２平方メートルの空間に設定可能な祭壇で自宅の居間や公民館、空き家、公営・私営住宅の居間などに棺・法要壇・霊供膳壇・花圃壇を命の尊厳からを命の字体に形状した木製で手軽な祭壇を生花で装飾し、部屋の空間に合わせて縮小、拡大が自在な祭壇で、小規模に斎場化した雰囲気で、お通夜から祭祀、後供養までグリーフに陥った遺族の方々が限られた火葬までの時間を故人と寄り添ってグリーフケアできる祭壇の啓発である。【０００７】  葬儀の主体である祭壇が身近に、設営されて、お通夜から後供養まで一ヶ所で執行される実用葬儀は遺族の方々も、落ち着いて葬儀社との対応が出来るので、葬儀料金のトラブル対策手段になる。
【考案の効果】
【０００８】  本考案は以上説明したように、花祭壇の開発により今まで遺骸を斎場に搬送して行われていた葬儀が手軽で格安な祭壇を自宅の居間や公民館、空き家、公営・私営住宅の居間などに搬入・設営してお棺は故人が好きだった花で装飾すれば高価なお棺を実用化し近親者だけで故人をゆっくりと偲ぶ葬送を執行できる祭壇である。【０００９】  本考案の祭壇は、小規模で畳３枚のスペースに設営可能な構造で実用的なので、生活保護法による（葬儀扶助）の予算で葬儀可能な祭壇である。
【図面の簡単な説明】
【００１０】
【図１】本考案を実施した祭壇を示す正面図。
【図２】同祭壇を示す側面図。
【図３】棺壇から花器壇を下ろした正面図。
【図４】法要壇、霊供膳壇から花器を分離した正面図。
【図５】花圃壇を半分に切断し、４ａの左半分部へ、右半分４ｂを挿入した正面図。
【図６】花圃壇の内部に骨壺を収納する納骨壇を設置した正面図。
【図７】命の字体に形状した祭壇を真上から見た図。
【考案を実施するための形態】
【００１１】  葬儀には、棺と祭祀壇を要します。その形態は従来の斎場で見られる豪華で大規模なものです、それに対し、本考案の形状は自宅の居間のような狭い空間での設営なので、棺の大きさを基準として縮小、拡大が自在な法要壇・霊供膳壇・花圃壇を調整して実施する形態である。
【実施例】
【００１２】  本考案の実施を図面に基づいて説明する。
［図１］及び［図２］に示すように６の棺壇に１のお棺を載した、お棺に４花圃壇、半円状の立体の上面を斜面になるように段差をつけて花飾し、遺影Ｂを安置し、お棺に接合して、祭祀に必要な３つ具足などを、２の法要壇に設置し、ご飯、汁物、煮物など盛り合わせた３の霊供養膳壇を設置して、５の花器壇で生花装飾して祭祀する。【００１３】  ［図３］は棺壇６を半分６ａ・６ｂにして狭い入り口や階上などへの搬入を手軽にし花器壇５も５ａ・５ｂの半分にて花器は主としてプランターにオアシスをセットしたものを棺壇６に載積してお棺１に合体させる［図４］法要壇・霊供膳壇３を、主として木材で花器壇５を、２・３の下部側面に接合させる。【００１４】    ［図５］の花圃壇４は設営空間が狭い所では半分にして、左半分４ａに右側半分４ｂを挿入可能な形成で間口を縮小できる構造にし、更に永代供養祭祀壇として活用するため骨壷を収納する納骨壇７を構成するもので［図５］のような形体で［図６］の前面に納骨口８を設置して骨壷を収納する構造。
【産業上の利用可能性】
【００１５】    葬祭においては、直葬、火葬だけで見送る葬儀が増え葬儀には人の葬儀に対する意識が変わって、お金をかけたくない、お棺を花一杯飾って欲しいという人が増えています。これから、高齢化社会に現存する高齢者が、最期を迎える数１０年間は利用者が増大します。次世代の葬祭事業に不可欠な格安で、実用的祭壇になると考えている。
【符号の説明】
【００１６】  １    棺
２    法要壇
３    霊供膳壇
４    花圃壇
５    花器壇
６    棺壇
７    納骨壇
８    納骨口
Ａ    骨壺
Ｂ    宗教象徴体又は、遺影
【図１】
0003170496.tif 000003
【図２】
0003170496.tif 000004
【図３】
0003170496.tif 000005
【図４】
0003170496.tif 000006
【図５】
0003170496.tif 000007
【図６】
0003170496.tif 000008
【図７】
0003170496.tif 000009
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
葬祭に不可欠な棺を中心に配置し、棺の後方に真上からみた形状が円弧状の花圃壇を配置し、棺の左前方に真上からみた形状が四辺形の法要壇を配置し、棺の右前方に真上からみた形状が四辺形の一辺が突出した形状の霊供膳壇を配置し、全体として真上からみた形状が命の字体を構成するようにしたことを特徴とする祭壇。